(57)【要約】      （修正有）【課題】所定角度をなす短片と長片を有するスラットを、短片側と長片側のいずれの方向に回転させても高い遮蔽性を得るブラインドを提供する。【解決手段】ブラインドは、ヘッドボックス、複数のラダーコード、複数のスラット２、及び複数の昇降コード４を有する。スラットは、長片２ａ及び短片２ｂを有し、長片は、回転軸の垂直方向に第１の幅を有する。短片は、垂直方向に第１の幅よりも短い第２の幅を有し、第２の幅方向の一端を長片と共有する頂辺２ｃとして長片と所定角度をなすように接続され、第２の幅方向の他端に昇降コードを挿通させる切欠部２１を有する。そしてスラットは、ラダーコードの第１の方向への傾動により、昇降コードが切欠部に接触した状態で長片の主面が略垂直となる角度まで回転し、ラダーコードの第２の方向への傾動により、昇降コードが切欠部から離間した状態で短片の主面が略垂直または垂直を超える角度まで回転する。【選択図】図９
2019100094.tif 000002
【特許請求の範囲】
【請求項１】
内部に回転軸を有するヘッドボックスと、
前記ヘッドボックスから垂下され、前記回転軸の回転に連動して第１の方向及び当該第１の方向とは逆の第２の方向へ傾動可能な複数のラダーコードと、
前記ラダーコードに整列状態で支持された複数のスラットと、
前記ヘッドボックスから垂下され、前記スラットを昇降可能な複数の昇降コードと、
を具備し、
前記スラットは、
前記回転軸の垂直方向に第１の幅を有する長片と、
前記垂直方向に前記第１の幅よりも短い第２の幅を有し、前記第２の幅方向の一端を前記長片と共有する頂辺として前記長片と所定角度をなすように接続され、前記第２の幅方向の他端に前記昇降コードを挿通させる切欠部を有する短片と、を有し、
前記ラダーコードの前記第１の方向への傾動により、前記昇降コードが前記切欠部に接触した状態で前記長片の主面が略垂直となる角度まで回転し、
前記ラダーコードの前記第２の方向への傾動により、前記昇降コードが前記切欠部から離間した状態で前記短片の主面が略垂直または垂直を超える角度まで回転する
ブラインド。
【請求項２】
内部に回転軸を有するヘッドボックスと、
前記ヘッドボックスから垂下され、前記回転軸の回転に連動して第１の方向及び当該第１の方向とは逆の第２の方向へ傾動可能な複数のラダーコードと、
前記ラダーコードに整列状態で支持された複数のスラットと、
前記ヘッドボックスから垂下され、前記スラットを昇降可能な複数の昇降コードと、
を具備し、
前記スラットは、
前記回転軸の垂直方向に第１の幅を有する長片と、
前記垂直方向に前記第１の幅よりも短い第２の幅を有し、前記第２の幅方向の一端を前記長片と共有する頂辺として前記長片と所定角度をなすように接続され、前記第２の幅方向の他端に前記昇降コードを挿通させる切欠部を有する短片と、を有し、
前記昇降コードは、
前記ラダーコードの前記第１の方向への傾動により、前記垂下方向において前記短片が前記長片の上方に位置する状態において、前記切欠部に接触し、
前記ラダーコードの前記第２の方向への傾動により、前記垂下方向において前記短片が前記長辺の下方に位置する状態において、前記頂辺に接触する
ブラインド。
【請求項３】
請求項１または２に記載のブラインドであって、
前記昇降コードは、前記スラットの長手方向の一端側から他端側に亘って３本設けられ、両端側の２つの昇降コードは前記スラットの前記幅方向の一端近傍に配され、前記２つの昇降コードの間の１つの昇降コードは前記スラットの前記幅方向の他端近傍に配される
ブラインド。
【発明の詳細な説明】
【技術分野】
【０００１】
本発明は、ブラインドに関する。
【背景技術】
【０００２】
従来から、短片と長片とが両者間で所定角度をなすように形成されたスラットを有するブラインドが知られている。
【０００３】
例えば、下記特許文献１には、短片と長片とを有する角度付スラットにおいて、短片と長片とを結ぶ頂点の角度が１３０°〜１７０°であり、短片の長手（長さ）方向の縁部から１８〜２６％、短片の短手（幅）方向の縁部から２５〜５０％の位置に昇降コード挿通孔を形成し、スラットが完全閉鎖位置にあるときに長片が均等に垂直になるようにすることが開示されている。
【０００４】
この技術によれば、スラットが長片側に向かって回転したときは、長片側が均等に垂直角度まで回転して遮蔽性が高くなる特徴を有する。
【先行技術文献】
【特許文献】
【０００５】
【特許文献１】米国特許第６１６７９３８号明細書
【発明の概要】
【発明が解決しようとする課題】
【０００６】
しかしながら、上記特許文献１に記載の技術では、スラットが短片側に向かって回転したときは、短片側には昇降コードが挿通しているため、緊張状態にある昇降コードによって短片の回転が阻害されて垂直角度までは回転することができず、十分な遮蔽性を得ることはできないという課題があった。
【０００７】
以上のような事情に鑑み、本発明の目的は、所定角度をなす短片と長片を有するスラットを、短片側と長片側のいずれの方向に回転させても高い遮蔽性を得ることが可能なブラインドを提供することにある。
【課題を解決するための手段】
【０００８】
上記目的を達成するため、本発明の一形態に係るブラインドは、ヘッドボックス、複数のラダーコード、複数のスラット、及び複数の昇降コードを有する。上記ヘッドボックスは、内部に回転軸を有する。上記複数のラダーコードは、上記ヘッドボックスから垂下され、上記回転軸の回転に連動して第１の方向及び当該第１の方向とは逆の第２の方向へ傾動可能である。上記複数のスラットは、上記ラダーコードに整列状態で支持される。上記複数の昇降コードは、上記ヘッドボックスから垂下され、上記スラットを昇降可能である。また上記スラットは、長片及び短片を有する。上記長片は、上記回転軸の垂直方向に第１の幅を有する。上記短片は、上記垂直方向に上記第１の幅よりも短い第２の幅を有し、上記第２の幅方向の一端を上記長片と共有する頂辺として上記長片と所定角度をなすように接続され、上記第２の幅方向の他端に上記昇降コードを挿通させる切欠部を有する。そして上記スラットは、上記ラダーコードの上記第１の方向への傾動により、上記昇降コードが上記切欠部に接触した状態で上記長片の主面が略垂直となる角度まで回転し、上記ラダーコードの上記第２の方向への傾動により、上記昇降コードが上記切欠部から離間した状態で上記短片の主面が略垂直または垂直を超える角度まで回転する。
【０００９】
この構成によれば、スラットが短片の他端に形成した切欠部を昇降コードが挿通する構成とすることで、昇降コードはスラットに近接した状態と離間した状態をとることができるようになり、ラダーコードの一方向への傾動では、昇降コードが切欠き部を挿通した状態で長片側が略垂直となるまで回転し、ラダーコードの他方向への傾動では、昇降コードが切欠部から離間して短片側が略垂直あるいは垂直を超える角度となるまで回転することができ、スラットはいずれの方向に回転しても高い遮蔽性を得ることができる。
【００１０】
本発明の他の形態に係るブラインドは、ヘッドボックス、複数のラダーコード、複数のスラット、及び複数の昇降コードを有する。上記ヘッドボックスは、内部に回転軸を有する。上記複数のラダーコードは、上記ヘッドボックスから垂下され、上記回転軸の回転に連動して第１の方向及び当該第１の方向とは逆の第２の方向へ傾動可能である。上記複数のスラットは、上記ラダーコードに整列状態で支持される。上記複数の昇降コードは、上記ヘッドボックスから垂下され、上記スラットを昇降可能である。また上記スラットは、長片及び短片を有する。上記長片は、上記回転軸の垂直方向に第１の幅を有する。上記短片は、上記垂直方向に上記第１の幅よりも短い第２の幅を有し、上記第２の幅方向の一端を上記長片と共有する頂辺として上記長片と所定角度をなすように接続され、上記第２の幅方向の他端に上記昇降コードを挿通させる切欠部を有する。そして上記昇降コードは、上記ラダーコードの上記第１の方向への傾動により、上記垂下方向において上記短片が上記長片の上方に位置する状態において、上記切欠部に接触し、上記ラダーコードの上記第２の方向への傾動により、上記垂下方向において上記短片が上記長辺の下方に位置する状態において、上記頂辺に接触する。
【００１１】
この構成によれば、スラットが短片の他端に形成した切欠き部を昇降コードが挿通する構成とすることで、スラットがいずれの方向に回転しても、スラットの前後方向において少なくとも頂辺がスラット縁部とほぼ一致する程度の角度まで回転でき、昇降コードはスラットを起立させる方向に押圧するように頂辺に接触するため、高い遮蔽性を得ることができる。
【００１２】
上記昇降コードは、上記スラットの長手方向の一端側から他端側に亘って３本設けられてもよい。この場合、両端側の２つの昇降コードは上記スラットの上記幅方向の一端近傍に配され、上記２つの昇降コードの間の１つの昇降コードは上記スラットの上記幅方向の他端近傍に配されてもよい。
【００１３】
短片と長片とを有するスラットでは、スラットを畳み上げたときに重心が中心からずれていることによって長片側に傾きやすくなるが、この構成によれば、３本以上の昇降コードをスラットの前後方向に交互に配置したことで、重心の位置にかかわらずスラットを前後に傾けることなく畳み上げることができる。
【発明の効果】
【００１４】
以上説明したように、本発明によれば、所定角度をなす短片と長片を有するスラットを、短片側と長片側のいずれの方向に回転させても高い遮蔽性を得ることができる。しかし、当該効果は本発明を限定するものではない。
【図面の簡単な説明】
【００１５】
【図１】本発明の一実施形態に係るブラインドの正面図である。
【図２】上記ブラインドの右側面図である。
【図３】上記ブラインドのスラットの斜視図である。
【図４】上記スラットの各部の長さ及び角度、並びに上記ブラインドのラダーコードの各部の長さを定義するための図である。
【図５】上記スラットの長片と短片とがなす角度の設定手法を説明した図である。
【図６】上記スラットの切欠部の深さの設定手法を説明した図である。
【図７】上記スラットの水平時の状態を示した側面及び断面図である。
【図８】上記スラットの全閉時の状態を示した側面、断面及び斜視図である。
【図９】上記スラットの逆全閉時の状態を示した側面、断面及び斜視図である。
【発明を実施するための形態】
【００１６】
以下、図面を参照しながら、本発明の実施形態を説明する。
【００１７】
［ブラインドの構成］
図１は、本実施形態に係るブラインドの、スラットの水平時（全開時）における正面図である。また図２は、上記ブラインドの、スラットの水平時における右側面図（同図Ａ）及びスラットを畳み上げた状態の右側面図（同図Ｂ）である。
【００１８】
両図に示すように、ブラインド１００は、ヘッドボックス１と、複数のスラット２と、複数のラダーコード３と、複数の昇降コード４と、ボトムレール６とを有する。
【００１９】
ラダーコード３は、ヘッドボックス１から垂下されており、ラダーコード３によって複数のスラット２が整列状態で支持されている。ラダーコード３の下端は、スラット２の下方に設けられたボトムレール６に連結される。
【００２０】
図２及び図３に示すように、ラダーコード３は、ヘッドボックス１から垂下される前後の垂直コード３ａと、上下方向（Ｙ方向）において所定間隔を空けた位置で当該前後の垂直コード３ａ間に架設される中段コード３ｂとからなる。当該中段コード３ｂは、一対の僅かに上下に離れた上下コードからなり、当該上下コード間に上記スラット２が挿入されることでスラット２が支持される。
【００２１】
昇降コード４は、ヘッドボックス１から垂下され、スラット２の短手方向（図１及び２のＺ方向）の中心部からオフセットされた前後位置に配設され、その下端はボトムレール６に連結されることで、スラット２を昇降可能とされている。
【００２２】
図１において、昇降コード４は、スラット２の長手方向の一端側から他端側に亘って、両端と中央に計３本設けられる。具体的には、昇降コード４は、上記長手方向の両端側の２つの昇降コード４は、上記スラット２の幅方向（Ｚ方向）の一端（ブラインド１００の背面側）近傍に配され、上記２つの昇降コード４の間の中央の１つの昇降コードは、スラット２の幅方向（Ｚ方向）の他端（ブラインド１００の正面側）近傍に配される。ただし、これらの数及び位置は本実施形態で示したものに限られない。
【００２３】
複数のスラット２は、ラダーコード３の傾動によるスラット間の開放及び閉塞により、ブラインド１００が設置された窓や壁面等において、外光を室内に導いたり遮蔽したりするための遮蔽材として機能する。
【００２４】
ヘッドボックス１は、例えばその上面から背面にかけて設けられたブラケット１１によって窓枠や壁等の所定面にネジ等により固定される。ヘッドボックスの左右側面には、ヘッドボックスキャップ１２が着脱可能に設けられる。
【００２５】
図示しないが、ヘッドボックス１の内部には、上記ラダーコード３及び昇降コード４の各上端が導入される昇降回転装置が設けられる。当該昇降回転装置には、ヘッドボックス１内で回転可能な回転軸が設けられている。
【００２６】
回転軸は、操作コード７に連結されており、当該操作コード７に対するユーザの操作に連動していずれかの方向に回転可能とされている。上記ラダーコード３は、上記回転軸の回転に連動して、第１の方向（図２に示した状態において反時計回り方向）及び当該第１の方向とは逆の第２の方向（同じく時計回り方向）へ傾動可能である。
【００２７】
当該昇降回転装置は、上記回転軸の他、ドラム受けと、当該ドラム受けに上記回転軸を介して回転可能に支持された回転ドラム及び昇降ドラムを有する。
【００２８】
回転ドラムにはラダーコード３の上端が掛け渡される。ラダーコード３は、操作コード７がユーザに操作されると、回転ドラムの所定角度範囲の回転に連動して傾動することでスラット２を回転させる。これによりスラット２の傾斜角（スラット２間の開放状態と閉塞状態）が調整される。
【００２９】
昇降ドラムは、その外周面の一端で昇降コード４の上端と連結されている。操作コード７がユーザに操作されると、昇降ドラムの外周面上に昇降コード４が巻き取られ、または昇降ドラムの外周面から昇降コード４が巻き解かれることで、スラット２がボトムレール６上に積層されながら昇降される。
【００３０】
［スラットの構成］
次に、上記ブラインド１００のうちスラット２について説明する。
【００３１】
複数のスラット２は、それらの間の開放及び閉塞により、ブラインド１００が設置された窓や壁面等において、日射等の外光を室内に導いたり遮蔽したりするための遮蔽材として機能する。スラット２は例えば木製であるが、アルミニウム等の他の素材で製造されても構わない。
【００３２】
図３は、１枚のスラット２の斜視図である。同図に示すように、スラット２は、長片２ａ及び短片２ｂを有する。長片２ａは、上記回転軸の垂直方向（Ｚ方向）において第１の幅を有し、短片２ｂは、上記垂直方向（Ｚ方向）において上記第１の幅よりも短い第２の幅を有する。
【００３３】
長片２ａと短片２ｂとは、上記第１の幅方向及び上記第２の幅方向の各一端を共有する頂辺２ｃとして、それらの主面が所定角度（鈍角）をなすように接続されている。
【００３４】
短片２ｂは、上記第２の幅方向の他端（短手方向の縁部）に、上記昇降コード４を挿通（収容）させる切欠部２１を有する。当該切欠部２１は、例えば、矩形状の凹部と、当該凹部の両解放端から斜め外側へ向かう２つの面取部を有する。
【００３５】
当該切欠部２１は、各スラット２において、ブラインド１００の背面（後）側左右両端に１本ずつ、計２つ設けられる。すなわち、切欠部２１は、上記３本の昇降コード４のうち、左右両端の背面側の昇降コード４に対応して設けられている。ただし、当該切欠部２１の位置及び数はこれに限られない。
【００３６】
また図１及び図２に示すように、上記複数のスラット２のうち、最上段のスラット２の、上記切欠部２１が設けられた位置には、誘導部材５が取り付けられている。当該誘導部材５は、上記切欠部２１の面取部に沿った斜面部を有しており、当該斜面部により、スラット２の上昇時において、上記昇降コード４を、上記スラット２の短手方向の外側から切欠部２１へ誘導することが可能である。また誘導部材５は、スラット２とラダーコード３の中段コード３ｂとを固定するスラットクリップとしても機能する。
【００３７】
ここで、当該スラット２の各部の長さや角度（特に、長片２ａと短片２ｂとがなす角度（夾角）及び切欠部２１の深さ）の条件に関する発明者等の検討結果について説明する。図４は、は、上記スラット２の各部の長さ及び角度、並びに上記ラダーコード３の各部の長さを定義するための図である。また図５は、上記スラット２の長片２ａと短片２ｂとがなす角度の設定手法を説明した図であり、図６は、上記スラット２の切欠部２１の深さの設定手法を説明した図である。これらの図においては、スラット２の形状を線状に簡略化して示している。
【００３８】
同図に示すように、スラット２の長片２ａの幅をＡ、短片２ｂの幅をＢ、切欠部の深さ（Ｚ方向の長さ）をＣ、スラット２の水平状態における幅をＤ、長片２ａと短片２ｂとがなす角度をＥ、ラダーコード３の中段コード３ｂの垂直方向（Ｙ方向）におけるピッチをＦ、ラダーコード３ａの幅（中段コード３ｂのＺ方向の長さ）をＧと定義する。
【００３９】
本実施形態では、スラット２が図２の反時計回り方向（第１の方向）へ回転した場合のみならず、図２の時計回り方向（時計回り方向）へ回転した場合であっても上下で隣接するスラット２が近接しながらスラット２間が遮蔽される状態（全閉状態）を実現することを課題の１つとしている。なお、後者の全閉状態を、前者の全閉状態と区別して「逆全閉状態」と称する。
【００４０】
全閉状態においては、長片２ａの主面は略垂直な状態（図２のＹ方向に平行）となり、逆全閉状態においては、頂辺２ｃが室外側に位置し、長片２ａと短片２ｂとがなす凹部が室内側に位置することになる。
【００４１】
図５では、上記図２の時計回り方向に回転して上下で隣接する２枚のスラット２が示されている。まず、長片２ａと短片２ｂの夾角θＥについて検討する。また長片２ａと頂辺２ｃを通る水平面とがなす角度をθαとし、スラット２の長片２ａの端部から上方に位置するスラット２の短片２ｂの端部が近接する位置までの幅をＡ´とする。
【００４２】
同図に示すように、上下に隣接するスラット２が近接（ほぼ接触する程度まで近づく）しつつ、上記全閉位置まで回転するための条件としては、以下の３つが挙げられる。
（１）Ｂｃｏｓ（θＥ−θα）＝（Ａ−Ａ´）ｃｏｓθα
（２）（Ａ−Ａ´）ｓｉｎθα＋Ｂｓｉｎ（θＥ−θα）＝Ｆ
（３）Ａｃｏｓθα＝ｇ
【００４３】
これら（１）、（２）、（３）より、以下の式が得られる。
ｓｉｎθＥ＝Ｆｇ／ＡＢ…［式１］
【００４４】
また、スラット２の長片２ａと短片２ｂの夾角の角度θＥは、以下のパラメータによって決定される。
・Ｆ：ラダーコード３（中段コード３ｂ）のピッチ
・ｇ：全閉時のラダーコード３（中段コード３ｂ）の幅
・Ａ：スラット２の長片２ａの幅
・Ｂ：スラット２の短片２ｂの幅
【００４５】
また、さらなる条件として、以下の点も要求される。
（４）Ａ＜Ｆ
（長片２ａが全閉時に垂直となるための条件）
（５）Ｄ＜Ｇ
（中段コード３ａ間へのスラット２の挿入による組立を可能とするための条件）
【００４６】
ここで、ラダーコード３（中段コード３ｂ）のピッチＦについては、従来のラダーコードの仕様と同様とし、長片２ａの長さＡをそれよりも若干短くすることとした。
【００４７】
また、全閉時のラダーコード３の幅ｇについては、ラダーコード３の中段コード３ｂの最大傾斜角を８０°〜８５°に設定することで決定され、スラット２の幅Ｄについては、ラダーコード３の幅Ｇとの相対関係でほぼ決まることから、短片２ｂの幅Ｂが決まれば、上記角度θＥも決まることになる。
【００４８】
また、余弦定理より、以下の関係が成り立つ。
ｃｏｓθＥ＝（Ａ２＋（Ｂ−Ｃ）２−ｄ２）／２Ａ（Ｂ−Ｃ）
（６）ｄ＝√（Ａ２＋（Ｂ−Ｃ）２−２Ａ（Ｂ−Ｃ）ｃｏｓθＥ）
【００４９】
本実施形態では、上記Ｆは４２ｍｍ、上記ｇは６．２ｍｍ（実際には、スラット２の厚み（約２ｍｍ）を加味すると８．２ｍｍ）、上記Ａは４０ｍｍ、上記Ｂは１３ｍｍに設定された。  
【００５０】
上記設定及び条件（１）〜（６）により、本実施形態において、スラット２の長片２ａと短片２ｂの夾角θＥは、"θＥ＝１５０°"に設定された。
【００５１】
続いて、上記切欠部２１の深さ（Ｚ方向の長さ）Ｃについて検討する。図６は、上記図５にスラット２の厚みの概念を加えた図である。同図において、スラット２の長片２ａの外側端辺と切欠部２１の深さ方向の端辺とを通る面が長片２ａとなす角度をθ２、長片２ａと垂直面とがなす角度をθ３とする。
【００５２】
上記スラット２の厚みをｔとすると、中段コード３ｂのＺ方向の長さＧは、以下の式で表される。
（７）Ｇ≧ｄ＋ｇａ＋ｔ
【００５３】
また、ｇα＝（Ｂ−Ｃ）ｓｉｎ（１８０°−θＥ−θ３）であり、これと上記式（６）及び（７）から、中段コード３ｂの長さＧ、全閉時のラダーコード３の幅ｇ、長片２ａの幅Ａ、短片２ｂの幅Ｂ、及び切欠部２１の深さＣは、下記の関係式で表すことができる。
Ｇ≧ｄ＋（Ｂ−Ｃ）ｓｉｎ（１８０°−θＥ−θ３）＋ｔ
ｇ＝Ａｓｉｎθ３…［式２］
【００５４】
ここで、ｇ＝６．２ｍｍ、Ａ＝４０ｍｍとすると、
ｓｉｎθ３＝０．１５５
ここで、θ３≦９０°であるため、
θ３＝８．９°
となる。
【００５５】
さらに、θＥ＝１５０°、ｔ＝２ｍｍ、Ｇ＝５６ｍｍとすると、
"Ｂ−Ｃ≦１１．９ｍｍ"
となり、上記Ｂ−Ｃの長さが１１．９ｍｍ以下となるように切欠部２１の深さを設定すればよいことが見出された。
【００５６】
［ブラインドの動作］
次に、以上のように構成されたブラインド１００の動作について説明する。
【００５７】
図７は、スラット２の水平状態を示した側面図（同図Ａ）及び断面図（同図Ｂ）である。図８は、スラット２の全閉状態を示した側面図（同図Ａ）、断面図（同図Ｂ）及び斜視図（同図Ｃ）である。図９は、スラット２の逆全閉状態を示した側面図（同図Ａ）、断面図（同図Ｂ）及び斜視図（同図Ｃ）である。
【００５８】
各スラット２は、図７に示した水平状態から、上記ラダーコード３の上記第１の方向（同図反時計回り方向）への傾動により、図８（特に同図Ｂ及びＣ）に示すように、昇降コード４が上記切欠部２１に接触した状態で、上記長片２ａの主面が略垂直となる角度まで回転する。
【００５９】
またこの場合昇降コード４は、図８に示すように、Ｙ方向において短片２ｂが長片２ａの上方に位置する状態において、切欠部２１に接触する。
【００６０】
一方、各スラット２は、図７に示した水平状態から、上記ラダーコード３の上記第２の方向（同図時計回り方向）への傾動により、図９（特に同図Ｂ及びＣ）に示すように、上記昇降コード４が上記切欠部２１から離間した状態で、上記短片２ｂの主面が略垂直または垂直を超える角度まで回転する。
【００６１】
またこの場合昇降コード４は、図９に示すように、Ｙ方向において上記短片２ｂが長辺２ａの下方に位置する状態において、上記頂辺２ｃに接触する。
【００６２】
このように、昇降コード４は、スラット２に近接した状態と離間した状態をとることができるようになり、スラット２はいずれの方向に回転しても高い遮蔽性を得ることができる。
【００６３】
また、スラット２がいずれの方向に回転しても、スラット２の前後方向において少なくとも頂辺２ｃがスラット２の端部とほぼ一致する程度の角度まで回転でき、昇降コード４が、スラット２を起立させる方向に押圧するように頂辺２ｃに接触するため、高い遮蔽性を得ることができる。
【００６４】
また一般に、短片と長片とを有するスラットでは、スラットを畳み上げたときに重心が中心からずれていることによって長片側に傾きやすくなるが、本実施形態によれば、３本以上の昇降コード４をスラット２の前後方向に交互に配置したことで、図２に示したように、重心の位置にかかわらずスラット２を前後に傾けることなく畳み上げることが可能となる。
【００６５】
＜変形例＞
本発明は上述の実施形態にのみ限定されるものではなく、本技術の要旨を逸脱しない範囲内において種々変更され得る。
【００６６】
上述の実施形態で示したスラット２の長片２ａ及び短片２ｂの幅やそれらがなす夾角は一例であり、上記図４乃至図６で示した条件に矛盾しない限り適宜変更可能である。
【００６７】
上述の実施形態では、１つのスラット２につき切欠部２１は背面側両端部に２つ設けられたが、正面側または背面側の中央に１つのみ設けられてもよく、また正面側または背面側に３つ以上設けられてもよい。この場合、複数の切欠き部２１はスラット２の長手方向の長さを２分する上記Ｙ方向の線に対して対称に設けられてもよい。
【００６８】
またその場合、上記昇降コード４は、全ての切欠部２１に１対１で対応するように設けられてもよいし、上述の実施形態と同様に、正面側と背面側（前後）で交互に設けられ、少なくともそれらの一部が切欠部２１に対応していてもよい。
【符号の説明】
【００６９】
１…ヘッドボックス
２…スラット
２ａ…長片
２ｂ…短片
２ｃ…頂辺
３…ラダーコード
４…昇降コード
２１…切欠部
【図１】
2019100094.tif 000003
【図２】
2019100094.tif 000004
【図３】
2019100094.tif 000005
【図４】
2019100094.tif 000006
【図５】
2019100094.tif 000007
【図６】
2019100094.tif 000008
【図７】
2019100094.tif 000009
【図８】
2019100094.tif 000010
【図９】
2019100094.tif 000011